(57)【要約】【課題】回収井戸の周囲に存在する地下水面上の油を水平方向に早く移動させることができて、回収井戸内に油が流入しやすくなり、油を効率的に回収可能とした地中油汚染土壌の油回収方法を提供する。【解決手段】地中油汚染土壌５の油を回収するための回収井戸２を形成し、この回収井戸２の周囲に存在する地中油汚染土壌５の地表面３６から水を注入して地中の油の上面（油層４０の上面４１）に水圧Ｐを加えるとともに回収井戸２内の液体（地下水及び油）を引揚げる回収作業を行うことによって回収井戸２の周囲に存在していた油を回収したことを特徴とする。【選択図】図１
2010005486.tif 000002
【特許請求の範囲】
【請求項１】
地中油汚染土壌の油を回収するための回収井戸を形成し、この回収井戸の周囲に存在する地中油汚染土壌の地表面から水を注入して地中の油の上面に水圧を加えるとともに回収井戸内の液体を引揚げる回収作業を行うことによって回収井戸の周囲に存在していた油を回収したことを特徴とする地中油汚染土壌の油回収方法。
【請求項２】
地中油汚染土壌の油を回収するための回収井戸を形成し、この回収井戸内の液体を引揚げる回収作業を断続的に行うことによって回収井戸の周囲に存在していた油を回収したことを特徴とする地中油汚染土壌の油回収方法。
【発明の詳細な説明】
【技術分野】
【０００１】
本発明は、地中油汚染土壌の油を効率的に回収可能な地中油汚染土壌の油回収方法に関する。
【背景技術】
【０００２】
地中油汚染土壌の油汚染箇所の下部から油汚染箇所に空気を供給することによって、地下水中に浮遊している油や土粒子に付着したり土粒子間に閉塞している油を地下水面へ浮上させて、地下水面に油層を形成させた後、回収井戸内に溜まった液体を引揚げる。これにより、回収井戸の周囲の地下水位が低下し、地下水とともに地下水面に浮上した油が横方向に移動して回収井戸内に流入するので、この油を地下水とともに引揚げることで回収井戸の周囲に存在していた油を回収できる（例えば、特許文献１等参照）。
【特許文献１】特開２００７−２４５０５２号公報
【発明の開示】
【発明が解決しようとする課題】
【０００３】
しかしながら、地下水面上の油は地下水に比べて流動が緩慢であり、回収井戸の地下水位を低下させただけでは、地下水面に浮上した油が横方向（水平方向）に移動しにくく、油が回収井戸内に流入しにくいので、油を効率的に回収できないという問題点があった。特に、回収井戸の周囲に存在する地中油汚染領域が広範囲に渡る場合、回収井戸よりも離れた場所にある油の水平方向の流動が緩慢となり、回収井戸内に油が流入しにくい。
本発明は上記問題点に鑑みてなされたもので、回収井戸の周囲に存在する地下水面上の油を水平方向に早く移動させることができて、回収井戸内に油が流入しやすくなり、油を効率的に回収可能とした地中油汚染土壌の油回収方法を提供する。
【課題を解決するための手段】
【０００４】
本発明に係る地中油汚染土壌の油回収方法は、地中油汚染土壌の油を回収するための回収井戸を形成し、この回収井戸の周囲に存在する地中油汚染土壌の地表面から水を注入して地中の油の上面に水圧を加えるとともに回収井戸内の液体を引揚げる回収作業を行うことによって回収井戸の周囲に存在していた油を回収したことを特徴とする。
本発明に係る地中油汚染土壌の油回収方法は、地中油汚染土壌の油を回収するための回収井戸を形成し、この回収井戸内の液体を引揚げる回収作業を断続的に行うことによって回収井戸の周囲に存在していた油を回収したことを特徴とする。
【発明の効果】
【０００５】
本発明の地中油汚染土壌の油回収方法によれば、回収井戸の周囲に存在する地中油汚染土壌の地表面から水を注入して地中の油の上面に水圧を加えたことにより、回収井戸の周囲に存在する地下水面上の油を水平方向に早く移動させることができて、回収井戸内に油が流入しやすくなり、油を効率的に回収できる。
本発明の地中油汚染土壌の油回収方法によれば、回収井戸内の液体を引揚げる回収作業を断続的に行うことに伴う地下水の水位レベルの下降と上昇とによって、地下水面上に存在していた油が地下水中に分散して、油が地下水と一緒に移動しやすくなり、油を効率的に回収できる。
【発明を実施するための最良の形態】
【０００６】
最良の形態１
図１は本発明の最良の形態１を示し、図１は水圧付与装置及び引揚装置を用いた地中油汚染土壌の油回収方法を示し、図１（ａ）は回収作業前の地下水及び油の状態を示し、図１（ｂ）は回収作業を行っている際の地下水及び油の動きを示す。
【０００７】
図１を参照し、地中油汚染土壌の油回収装置の構成を説明する。油回収装置１は、回収井戸２、水圧付与装置３、引揚装置４を備える。
【０００８】
回収井戸２は、地中油汚染土壌５に形成された掘削竪孔６と、掘削竪孔６内に挿入された有孔管７とにより形成される。掘削竪孔６は、地中油汚染土壌５において孔底１４が油汚染部８よりも下方まで到達する深さに形成される。油汚染部８の位置及び深さは、事前のボーリング調査で調べる。有孔管７は、断面円形で一端閉塞他端開口の有底管により形成され、管の壁に管の内面と外面とに貫通する貫通孔９を複数備えたものである。底側から掘削竪孔６内に挿入された有孔管７の外面１０と掘削竪孔６の内壁面１１とが接触するように、掘削竪孔６の径と有孔管７の外径とがほぼ同じである。貫通孔９は、有孔管の周方向に延長する細長の孔により形成される。
【０００９】
水圧付与装置３は、貯水タンク１５、水放出ポンプ１６、水放出ノズル１７、貯水タンク１５と水放出ポンプ１６とを繋ぐ貯水タンク側連結ホース１８、水放出ノズル１７と水放出ポンプ１６とを繋ぐノズル側連結ホース２３、水放出ポンプ１６の駆動電源１９とを備える。貯水タンク側連結ホース１８の一端が貯水タンクの水出口１３に連結され、貯水タンク側連結ホース１８の他端が水放出ポンプ１６の吸込口２０に連結される。ノズル側連結ホース２３の一端が水放出ポンプ１６の吐出口２１に連結され、ノズル側連結ホース２３の他端が水放出ノズル１７の導入口２２に連結される。
【００１０】
引揚装置４は、引揚ホース２５、引揚ポンプ２６、回収タンク２７、引揚ポンプ２６と回収タンク２７とを繋ぐ回収タンク側連結ホース２９、引揚ポンプ２６の駆動電源３０とを備える。引揚ホース２５の一端が引揚ポンプ２６の吸込口３１に連結され、引揚ホース２５の他端が回収井戸内の液体３２中に挿入される。回収タンク側連結ホース２９の一端が回収タンク２７の水取込口３３に連結され、回収タンク側連結ホース２９の他端が引揚ポンプ２６の吐出口３４に連結される。
【００１１】
図１を参照し、地中油汚染土壌の油回収方法を説明する。まず、地中油汚染土壌５での事前のボーリング調査で調べた油汚染部８の範囲及び油汚染部８の地中深さを確認して、当該油汚染部８の範囲の中心位置に油汚染部８よりも下方まで到達する地中深さの掘削竪孔６を形成し、当該掘削竪孔６内に有孔管７を設置することによって、回収井戸２を形成し、さらに、水圧付与装置３、引揚装置４を設置する（図１（ａ）参照）。その後、水圧付与作業及び引揚作業による地中油汚染土壌５の油の回収作業を行う（（図１（ｂ）参照）。即ち、水圧付与装置３によって、回収井戸２の周囲に存在する地中油汚染土壌５の地表面３６から水を注入して回収井戸２の周辺に位置する地下水面３５上に存在する油層４０の上面４１に水圧Ｐを付与するとともに、引揚装置４によって、回収井戸２内の液体３２を引揚げる引揚作業を行うことによって回収井戸２の周囲に存在していた油４３を回収タンク２７に回収する。水圧付与装置３による水圧付与作業は、例えば、回収井戸２の周辺に位置する地下水面３５上の地表面３６に並ぶように複数の孔３７を形成し、これら孔内に水放出ノズル１７を挿入して水を放出する。
【００１２】
最良の形態１によれば、回収井戸２の周辺に位置する地下水面３５上に存在する油層４０の上面４１に水圧Ｐを付与したことにより、油層４０の上面４１が水圧Ｐで押されることによって当該油層４０の油４３が横方向に移動しやすくなる。よって、油回収井戸２内に油が流入しやすくなり、油４３を効率的に回収できるようになる。
【００１３】
最良の形態２
図２及び図３を参照し、油汚染土壌の油回収処理装置の構成を説明する。図２及び図３は引揚装置を用いた地中油汚染土壌の油回収方法を示す。油回収装置１は、回収井戸２、引揚装置４を備える。回収井戸２、引揚装置４の構成は最良の形態１で説明した装置と同じである。
【００１４】
油汚染土壌の油回収方法を説明する。図２（ａ）に示すように、まず、最良の形態１と同様の回収井戸２を形成し、引揚装置４による回収作業を行うことにより油回収井戸２内に流れ込んだ地下水と油とを引揚げて回収タンク２７に送る。当該回収作業を終了した直後に、当該回収作業により低下した地下水の水位レベルを計測しておく（図２（ｂ）の点線で示す水位レベルａ参照）。その後、所定時間毎に、地下水の水位レベルを計測し、水位レベルが所定値以上上昇したことを確認した後に、引揚装置４による回収作業を行うことにより、油回収井戸２内に流れ込んだ地下水５１と油４３とを引揚げて回収タンク２７に送る。この引揚装置４による回収作業→地下水の水位レベルの計測→水位レベルが所定値以上上昇したことの確認→引揚装置４による回収作業という一連の作業を１回以上、より好ましくは、２回以上実施する。
【００１５】
最良の形態２によれば、引揚装置４による回収作業→地下水の水位レベルの計測→水位レベルが所定値以上上昇したことの確認→引揚装置４による回収作業という一連の作業を実施することによって、地下水の水位レベルの下降と上昇とによって、地下水面３５上に存在していた油４３が地下水５１中に分散して（図３（ａ）参照）、油４３が地下水５１と一緒に移動しやすくなり、この状態で図３（ｂ）のように回収作業を行うことによって、油を効率的に回収できる。
【産業上の利用可能性】
【００１６】
有孔管７の断面形状は矩形でもよい。
有孔管７の貫通孔９は円孔や矩形孔でもよい。
水圧付与作業は、地表面３６に形成した浅底の凹部内に水を溜めて置いてからこの凹部内に溜めた水を押圧板で押圧して油層４０の上面４１に水圧Ｐを付与しても良い。
【図面の簡単な説明】
【００１７】
【図１】（ａ）は回収作業前の地下水及び油の状態を示す図、（ｂ）は回収作業を行っている際の地下水及び油の動きを示す図（最良の形態１）。
【図２】地中油汚染土壌の油回収方法を示す図（最良の形態２）。
【図３】地中油汚染土壌の油回収方法を示す図（最良の形態２）。
【符号の説明】
【００１８】
２  回収井戸、５  地中油汚染土壌、３２  回収井戸内の液体、３６  地表面、
４０  油層、４１  油層の上面、Ｐ  水圧。
【図１】
2010005486.tif 000003
【図２】
2010005486.tif 000004
【図３】
2010005486.tif 000005